(57)【要約】【課題】所定の出力を行うことにより、アラームにより設定した時刻に対する危機感をユーザに持たせることができる電子機器及びアラーム出力方法を提供する。【解決手段】電子機器は、アラームの出力開始時刻を設定する設定部５１と、設定部５１により設定された出力開始時刻に基づいて、アラームを出力する第１出力部５２と、第１出力部５２から出力されているアラームを停止させる停止部５３と、停止部５３によりアラームが停止された場合に、この停止されたアラームの出力開始時刻から当該アラームが停止されるまでの経過時間情報を出力する第２出力部５４と、を備える。【選択図】図３
2011047734.tif 000002
【特許請求の範囲】
【請求項１】
アラームの出力開始時刻を設定する設定部と、
前記設定部により設定された出力開始時刻に基づいて、前記アラームを出力する第１出力部と、
前記第１出力部から出力されている前記アラームを停止させる停止部と、
前記停止部により前記アラームが停止された場合に、前記出力開始時刻から当該アラームが停止されるまでの経過時間情報を出力する第２出力部と、を備えることを特徴とする電子機器。
【請求項２】
前記第１出力部は、アラームを複数回数出力し、
前記第１出力部と前記停止部とが、協働して、アラームの出力と停止とを繰り返すスヌーズ機能を実行し、
前記第２出力部は、前記複数回数のアラームが停止される度に、前記出力開始時刻からの前記経過時間情報を出力することを特徴とする請求項１に記載の電子機器。
【請求項３】
前記停止部により前記アラームが停止された場合に、前記第１出力部により次回のアラームが出力されるまでの所要時間を算出する時間算出部をさらに備え、
前記第２出力部は、前記経過時間情報と共に、前記時間算出部により算出された前記所要時間の情報を出力することを特徴とする請求項２に記載の電子機器。
【請求項４】
前記第１出力部からアラームが出力されない旨の情報を記憶する記憶部と、
前記設定部により設定された前記アラームの前記出力開始時刻と、前記第１出力部と前記停止部とにより前記スヌーズ機能を実行させるために前記設定部により設定されたアラームの出力回数とに基づいて、前記第１出力部により前記アラームを全て出力した場合、前記第１出力部から前記アラームが出力されない旨の情報を前記記憶部から読み出して前記第２出力部に供給するアラーム制御部と、をさらに備え、
前記第２出力部は、前記経過時間情報と共に、前記第１出力部から前記アラームが出力されない旨の情報を出力することを特徴とする請求項２に記載の電子機器。
【請求項５】
通信部を介して所定の情報を取得する取得部をさらに備え、
前記第２出力部は、前記経過時間情報と共に、前記取得部により取得された前記所定の情報を出力することを特徴とする請求項２から請求項４のいずれか１項に記載の電子機器。
【請求項６】
前記停止部により前記アラームが停止された場合に、前記第１出力部により次回のアラームが出力されるまでの所要時間を算出する時間算出部と、
前記所要時間に応じて前記所定の情報を出力する時間を調整するアラーム制御部と、をさらに備え、
前記第２出力部は、前記アラーム制御部により時間調整が行われた所定の情報を出力することを特徴とする請求項５に記載の電子機器。
【請求項７】
アラームの出力開始時刻を設定し、
前記出力開始時刻に基づいて、前記アラームを出力し、
出力中のアラームが停止されたときに、当該アラームの出力開始時刻から当該アラームが停止されるまでの経過時間情報を出力することを特徴とするアラーム出力方法。
【発明の詳細な説明】
【技術分野】
【０００１】
本発明は、時計機能とアラーム機能とを備えた電子機器及びアラーム出力方法に関する。
【背景技術】
【０００２】
携帯電話機等を始めとする種々の電子機器には、時計機能と、所定時刻に到達するとアラームを出力するアラーム機能とを備えたものがある。このような電子機器には、アラームを出力させるためのアラーム時刻を複数設定することができるものがある。この電子機器は、ユーザによりアラーム停止操作が行われることにより、出力中のアラームを停止させた場合でも、時刻が次のアラーム時刻に到達すると再度アラームを出力させる（特許文献１参照）。
【先行技術文献】
【特許文献】
【０００３】
【特許文献１】特開２００８−２２４３３６号公報
【発明の概要】
【発明が解決しようとする課題】
【０００４】
一般的に、アラームを複数回鳴動させる場合、例えば、アラームを目覚ましとして使用する場合、電子機器は、数分おきにアラーム時刻が複数設定される。そして、ユーザは、アラームが鳴動する複数回のうちのいずれかのアラームによって起床すればよい。しかし、かかる場合には、アラームに対するユーザの危機感が低く、ユーザは、設定されたアラームの鳴動が全て終了して起床時間を過ぎても起床しないことがある。
【０００５】
本発明は、所定の出力を行うことにより、アラームにより設定した時刻に対する危機感をユーザに持たせることができる電子機器及びアラーム出力方法を提供することを目的とする。
【課題を解決するための手段】
【０００６】
本発明は、アラームの出力開始時刻を設定する設定部と、前記設定部により設定された出力開始時刻に基づいて、前記アラームを出力する第１出力部と、前記第１出力部から出力されている前記アラームを停止させる停止部と、前記停止部により前記アラームが停止された場合に、前記出力開始時刻から当該アラームが停止されるまでの経過時間情報を出力する第２出力部と、を備えることを特徴とする電子機器に関する。
【０００７】
また、前記第１出力部は、アラームを複数回数出力し、前記第１出力部と前記停止部とが、協働して、アラームの出力と停止とを繰り返すスヌーズ機能を実行し、前記第２出力部は、前記複数回数のアラームが停止される度に、前記出力開始時刻からの前記経過時間情報を出力することが好ましい。
【０００８】
前記電子機器は、前記停止部により前記アラームが停止された場合に、前記第１出力部により次回のアラームが出力されるまでの所要時間を算出する時間算出部をさらに備え、前記第２出力部は、前記経過時間情報と共に、前記時間算出部により算出された前記所要時間の情報を出力することが好ましい。
【０００９】
前記電子機器は、前記第１出力部からアラームが出力されない旨の情報を記憶する記憶部と、前記設定部により設定された前記アラームの前記出力開始時刻と、前記第１出力部と前記停止部とにより前記スヌーズ機能を実行させるために前記設定部により設定されたアラームの出力回数とに基づいて、前記第１出力部により前記アラームを全て出力した場合、前記第１出力部から前記アラームが出力されない旨の情報を前記記憶部から読み出して前記第２出力部に供給するアラーム制御部と、をさらに備え、前記第２出力部は、前記経過時間情報と共に、前記第１出力部から前記アラームが出力されない旨の情報を出力することが好ましい。
【００１０】
前記電子機器は、通信部を介して所定の情報を取得する取得部をさらに備え、前記第２出力部は、前記経過時間情報と共に、前記取得部により取得された前記所定の情報を出力することが好ましい。
【００１１】
前記電子機器は、前記停止部により前記アラームが停止された場合に、前記第１出力部により次回のアラームが出力されるまでの所要時間を算出する時間算出部と、前記所要時間に応じて前記所定の情報を出力する時間を調整するアラーム制御部と、をさらに備え、前記第２出力部は、前記アラーム制御部により時間調整が行われた所定の情報を出力することが好ましい。
【００１２】
また、本発明は、アラームの出力開始時刻を設定し、前記出力開始時刻に基づいて、前記アラームを出力し、出力中のアラームが停止されたときに、当該アラームの出力開始時刻から当該アラームが停止されるまでの経過時間情報を出力することを特徴とするアラーム出力方法に関する。
【発明の効果】
【００１３】
本発明によれば、所定の出力を行うことにより、アラームにより設定した時刻に対する危機感をユーザに持たせることができる。
【図面の簡単な説明】
【００１４】
【図１】本発明の実施形態に係る携帯電話機の外観斜視図である。
【図２】携帯電話機の機能構成を示すブロック図である。
【図３】携帯電話機が機能を発揮するための構成を示す機能ブロック図である。
【図４】携帯電話機の動作の流れを説明する図である。
【図５】携帯電話機の動作を示すフローチャートである。
【図６】携帯電話機の動作を説明する図である。
【発明を実施するための形態】
【００１５】
以下、本発明を実施するための好ましい実施形態について、図面を参照しながら説明する。まず、本発明の一実施形態に係る電子機器としての携帯電話機１の基本構造について、図１を参照しながら説明する。
図１は、本発明の実施形態に係る携帯電話機１の外観斜視図である。
【００１６】
携帯電話機１は、筐体としての操作部側筐体２と、表示部側筐体３と、操作部側筐体２と表示部側筐体３とを連結するヒンジ機構４と、を備える。
操作部側筐体２は、前面１０に、操作部１１及びマイク１２を備えて構成される。操作部側筐体２の前面１０は、携帯電話機１を折り畳んだ状態で表示部側筐体３と向かい合う面である。
操作部１１は、各種設定機能や辞書機能やメール機能等の各種機能を作動させるための機能設定操作キー１３と、数字や文字を入力するための入力操作キー１４と、各種操作における決定やスクロール等を行う決定操作キー１５と、から構成されている。
マイク１２は、携帯電話機１の使用者が通話時に発した音声を入力するために用いられる。
また、操作部側筐体２の後面（図示せず）には、撮像部としてのカメラ４８（図２参照）が設けられている。カメラ４８は、外部から画像情報を取得するために用いられる。
【００１７】
表示部側筐体３は、前面２０に、表示部２１とレシーバ２２と、を備えて構成される。表示部側筐体３の前面２０は、携帯電話機１を折り畳んだ状態で操作部側筐体２と向かい合う面である。
表示部２１は、通話の相手側の電話番号やメールアドレス、及びメールの内容等の各種情報（文字情報や画像情報）を表示する。レシーバ２２は、通話の相手側の音声を出力する。
また、表示部側筐体３の側面には、スピーカ２４（図２参照）が設けられている。スピーカ２４は、携帯電話機１への着信を知らせる音声等を出力する。
【００１８】
ヒンジ機構４は、操作部側筐体２と表示部側筐体３とが相対的に動くようにこれらを連結している。携帯電話機１は、ヒンジ機構４を介して連結された操作部側筐体２と表示部側筐体３とを相対的に回転することにより、操作部側筐体２と表示部側筐体３とが互いに開いた状態（開状態）にしたり、操作部側筐体２と表示部側筐体３とを折り畳んだ状態（閉状態）にしたりできる。
【００１９】
なお、図１は、いわゆる折り畳み式の携帯電話機１を挙げているが、携帯電話機としては、特にこれに限らない。すなわち、操作部側筐体と表示部側筐体とを重ね合わせた状態から一方の筐体を一方向にスライドさせるようにしたスライド式や、重ね合せ方向に沿う軸線を中心に一方の筐体を回転させるようにした回転式や、操作部側筐体と表示部側筐体とを２軸ヒンジを介して連結したもの、更には、操作部側筐体と表示部側筐体とが一つの筐体に配置されたもの（いわゆる、ストレートタイプ）であってもよい。
【００２０】
次に、図２を参照しながら、携帯電話機１の機能構成について説明する。
図２は、携帯電話機１の機能構成を示すブロック図である。携帯電話機１は、操作部１１と、マイク１２と、通信部４１と、画像処理部４２と、音声処理部４３と、記憶部としてのメモリ４４と、制御部４５と、振動発生部としてのバイブレータ４７と、カメラ４８と、を操作部側筐体２に備え、表示部２１と、レシーバ２２と、スピーカ２４と、ドライバＩＣ２３と、発光部としてのＬＥＤ２５と、を表示部側筐体３に備えている。
【００２１】
通信部４１は、メインアンテナ４１１とＲＦ回路部４１２とを備えて構成され、所定の通信先と通信を行う。通信部４１が通信を行う通信先としては、携帯電話機１と電話やメールの送受信を行う外部の端末装置や、携帯電話機１がインターネットの接続を行う外部のｗｅｂサーバ等の外部装置が挙げられる。
【００２２】
メインアンテナ４１１は、所定の使用周波数帯（例えば、８００ＭＨｚ）で外部装置と通信を行う。
ＲＦ回路部４１２は、メインアンテナ４１１によって受信した信号を復調処理し、処理後の信号を制御部４５に供給する。また、ＲＦ回路部４１２は、制御部４５から供給された信号を変調処理し、メインアンテナ４１１を介して外部装置（基地局）に送信する。
【００２３】
画像処理部４２は、制御部４５の制御に従って、所定の画像処理を行い、処理後の画像データをドライバＩＣ２３に出力する。ドライバＩＣ２３は、画像処理部４２から供給された画像データをフレームメモリ（図示せず）に蓄え、所定のタイミングで表示部２１に出力する。
【００２４】
音声処理部４３は、制御部４５の制御に従って、ＲＦ回路部４１２から供給された信号に対して所定の音声処理を行い、処理後の信号をレシーバ２２やスピーカ２４に出力する。レシーバ２２及びスピーカ２４は、音声処理部４３から供給された信号を音声に変換して外部に出力する。
【００２５】
また、音声処理部４３は、制御部４５の制御に従って、マイク１２から入力された信号を処理し、処理後の信号をＲＦ回路部４１２に出力する。ＲＦ回路部４１２は、音声処理部４３から供給された信号に所定の処理を行い、処理後の信号をメインアンテナ４１１に供給し、メインアンテナ４１１により電波として外部に出力させる。
【００２６】
メモリ４４は、例えば、ワーキングメモリを含み、制御部４５による演算処理に利用される。また、メモリ４４には、携帯電話機１上で動作する様々なアプリケーションが利用するデータやテーブル等が格納されている。
なお、メモリ４４は、着脱可能な外部メモリであってもよい。
【００２７】
制御部４５は、携帯電話機１の全体を制御しており、通信部４１、画像処理部４２、表示部２１、音声処理部４３、バイブレータ４７、ＬＥＤ２５に対して所定の制御を行う。
【００２８】
バイブレータ４７は、操作部側筐体２の内部に取り付けられ、制御部４５の制御に従って振動を発生させる。このバイブレータ４７が発生させる振動が操作部側筐体２に伝達されることにより、携帯電話機１は振動する。
【００２９】
このように構成される携帯電話機１は、所定の出力を行うことにより、アラームにより設定した時刻に対する危機感をユーザに持たせることができる機能を有する。
【００３０】
以下に、携帯電話機１に係る当該機能を発揮するための構成と動作について詳述する。
先ず、本実施形態に係る携帯電話機１の機能を発揮するための構成について、図３を参照しながら説明する。図３は、携帯電話機１が上記機能を発揮するための構成を示す機能ブロック図である。
【００３１】
携帯電話機１は、設定部５１と、第１出力部５２と、停止部５３と、第２出力部５４とを備える。
設定部５１は、アラームの出力開始時刻を設定する。なお、アラームの出力開始時刻の設定は、メモリ４４に記憶される。
第１出力部５２は、設定部５１により設定された出力開始時刻に基づいて、アラームを出力する。第１出力部５２は、アラーム音を出力するスピーカ２４、アラームとして発光又は点滅を行うＬＥＤ２５、及び、アラームとして携帯電話機１を振動させるバイブレータ４７のうちの少なくとも一つから構成される。
【００３２】
停止部５３は、第１出力部５２から出力されているアラームを停止させる。停止部５３は、例えばアラームの停止機能が割り当てられた操作キーがユーザにより押下されたことに基づいて、第１出力部５２から出力されているアラームを停止させる。
【００３３】
第２出力部５４は、停止部５３によりアラームが停止された場合に、アラームの出力開始時刻からアラームが停止されるまでの経過時間情報を出力する。第２出力部５４は、経過時間情報を音声として出力するスピーカ２４、及び、経過時間情報を文字として表示する表示部２１のうち少なくとも一方から構成される。
【００３４】
したがって、携帯電話機１は、アラームの出力開始時刻からそのアラームが停止されるまでの経過時間を出力するので、アラームにより設定した時刻に対する危機感をユーザに持たせることができる。
【００３５】
また、第１出力部５２は、アラームを複数回数出力する。この場合、第１出力部５２と停止部５３とが、協働して、アラームの出力と停止とを繰り返すスヌーズ機能を実行する。
スヌーズ機能とは、アラームを所定間隔で繰り返し鳴らせる機能のことである。例えば、朝の６時にアラームを設定し（例えば、アラームの鳴動時間を１０秒に設定する）、６時３０分までの間に５分間隔でアラームが鳴るようにスヌーズ機能を設定しておく。そうすると、６時にアラームが１０秒鳴って止み、その後６時３０分まで５分間隔でアラームが１０秒鳴るようになる。また、スヌーズ機能は、一般的に、アラームの鳴動中に単にアラームを停止する操作を行っただけでは解除することができない構成になっている。スヌーズ機能を解除するためには、解除に必要な操作を行う必要がある。したがって、設定部５１は、第１回目のアラームの出力開始時刻を設定すると共に、スヌーズ機能の設定をする。なお、スヌーズ機能の設定は、アラームの出力回数の設定、アラームの出力間隔の設定等のことを指す。なお、アラームの出力開始時刻及びスヌーズ機能の設定は、メモリ４４に記憶される。
【００３６】
第２出力部５４は、複数回数のアラームが停止される度に、出力開始時刻からの経過時間情報を出力する。すなわち、経過時間情報は、音声情報としてスピーカ２４から出力され、又は、文字情報として表示部２１に表示される。
なお、停止部５３は、例えばアラームの停止機能が割り当てられた操作キーがユーザにより押下されたことに基づいて、第１出力部５２から出力されているアラームを停止させる。また、停止部５３は、アラームの出力が開始されてから所定のアラーム出力時間が経過した場合に、第１出力部５２から出力されているアラームを停止させるようになっていてもよい。なお、アラーム出力時間は、ユーザにより適宜設定されればよい。
【００３７】
したがって、携帯電話機１は、第１回目のアラームの出力開始時刻から第１出力部５２から出力されるアラームが停止されるまでの経過時間を出力するので、アラームにより設定した時刻に対する危機感をユーザに持たせることができる。
【００３８】
携帯電話機１は、時間算出部５５をさらに備える。
時間算出部５５は、停止部５３によりアラームが停止された場合に、第１出力部５２により次回のアラームが出力されるまでの所要時間を算出する。時間算出部５５は、例えば第１回目のアラームが停止部５３により停止された場合に、第１回目のアラームが停止されてから第２回目のアラームが鳴動するまでの所要時間を算出する。
【００３９】
ここで、所要時間を算出する場合の具体的な動作について説明する。
後述するアラーム制御部４５１は、停止部５３によりアラームが停止された場合に、アラームが停止されたときの時刻情報を後述する時刻計時部５６から読み出して時間算出部５５に供給する。さらに、アラーム制御部４５１は、アラームの出力開始時刻とスヌーズ機能の設定としてのアラームの出力間隔とをメモリ４４から読み出して、時間算出部５５に供給する。時間算出部５５は、供給された時刻情報と、アラームの出力開始時刻と、アラームの出力間隔とに基づいて、次回アラームが出力されるまでの所要時間を算出する。
【００４０】
第２出力部５４は、経過時間情報と共に、時間算出部５５により算出された所要時間の情報を出力する。すなわち、所要時間の情報は、音声情報としてスピーカ２４から出力されてもよく、文字情報として表示部２１に表示されてもよい。
【００４１】
アラーム制御部４５１は、設定部５１、メモリ４４、停止部５３、時刻計時部５６、経過時間計時部５７、時間算出部５５、第１出力部５２及び第２出力部５４に対して所定の制御を行う。
時刻計時部５６は、例えばリアルタイムクロック等から構成され、時刻の計時を行う。
【００４２】
したがって、携帯電話機１は、次回のアラームが出力されるまでの所要時間を音声で出力し又は表示するので、アラームにより設定した時刻に対する危機感をユーザに持たせることができる。
【００４３】
また、メモリ４４は、第１出力部５２からアラームが出力されない旨の情報を記憶する。メモリ４４は、第１出力部５２からアラームが出力されない旨の情報として、例えば「アラームはもう鳴りません」というような音声情報又は文字情報を記憶する。
【００４４】
アラーム制御部４５１は、設定部５１により設定されたアラームの出力開始時刻と、第１出力部５２と停止部５３とによりスヌーズ機能を実行させるために設定部により設定されたアラームの出力回数とに基づいて、第１出力部５２によりアラームを全て出力した場合、第１出力部５２からアラームが出力されない旨の情報をメモリ４４から読み出して第２出力部５４に供給する。すなわち、アラームの出力開始時刻に基づいて第１出力部５２からアラームが出力されると共に、設定されたアラームの所定の出力回数に基づいて第１出力部５２からアラームが所定回数出力される場合、アラーム制御部４５１は、第１出力部５２からアラームが出力されない旨の情報をメモリ４４から読み出して第２出力部５４に供給する。
【００４５】
第２出力部５４は、経過時間情報と共に、第１出力部５２からアラームが出力されない旨の情報を出力する。すなわち、スピーカ２４は、例えば「アラームはもう鳴りません」という音声情報を音声で出力する。また、表示部２１は、例えば「アラームはもう鳴りません」という文字情報を表示してもよい。
【００４６】
したがって、携帯電話機１は、第１出力部５２からアラームが出力されない旨の情報を出力するので、アラームが再度出力されないことをユーザに対して明示的に示すことができる。
【００４７】
携帯電話機１は、通信部４１を介して所定の情報を取得する取得部をさらに備える。この場合、第２出力部５４は、経過時間情報と共に、取得部により取得された所定の情報を出力する。
【００４８】
具体的には、携帯電話機１は、通信部４１を介して所定の情報を取得する、取得部としての情報取得部５８を備える。情報取得部５８は、例えば情報配信サーバ（ｗｅｂサーバ）に通信部４１を介して接続し、ニュース、天気予報、交通情報等の所定の情報を取得する。
【００４９】
また、メモリ４４には、所定の情報としてのスケジュールを登録可能なスケジュール帳を記憶しておいてもよい。この場合、アラーム制御部４５１は、メモリ４４に記憶されたスケジュール帳からスケジュールを取得する。
【００５０】
第２出力部５４は、情報取得部５８により通信部４１を介して取得された所定の情報を音声出力し又は表示する。また、第２出力部５４は、アラーム制御部４５１によりメモリ４４から取得されたスケジュール（所定の情報）を音声出力し又は表示してもよい。
【００５１】
したがって、携帯電話機１は、第２出力部５４により所定の情報を出力するので、ユーザに対して起床する意思を植え付けることができる。
【００５２】
携帯電話機１は、時間算出部５５と、アラーム制御部４５１とをさらに備える。
時間算出部５５は、停止部によりアラームが停止された場合に、第１出力部５２により次回のアラームが出力されるまでの所要時間を算出する。
【００５３】
アラーム制御部４５１は、時間算出部５５により算出された所要時間に応じて所定の情報を出力する時間を調整する。すなわち、アラーム制御部４５１は、時間算出部５５により算出された所要時間に応じて、情報取得部５８により取得されたニュース、天気予報、交通情報等が第２出力部５４から出力される時間を調整する。
【００５４】
ニュース、天気予報、交通情報等の情報量が多く、これらの所定の情報の全てを所要時間内に音声出力し又は表示することができない場合、アラーム制御部４５１は、ニュース、天気予報、交通情報の中からユーザが必要とするものを選択する。例えば、天気予報が優先的に第２出力部５４から出力されるようユーザが設定した場合、アラーム制御部４５１は、情報取得部５８により取得された所定の情報の中から天気予報を優先的に選択する。
【００５５】
また、ニュース、天気予報、交通情報に、アラーム制御部４５１により選択されるときの優先度が予め設定されている場合、アラーム制御部４５１は、優先度が高く設定されている情報を優先的に選択する。
【００５６】
さらに、アラーム制御部４５１は、情報取得部５８により取得されたニュース、天気予報、交通情報を簡略化することにより、第２出力からの出力される時間を調整する。例えば、所定の情報として「１．×××が○○しました、△△です・・・」、「２．×××が○○しました、△△です・・・」、「３．×××が○○しました、△△です・・・」というニュースを情報取得部５８が取得した場合、アラーム制御部４５１は、所要時間内にニュースの出力を終了させるために、「１．×××が○○しました、他２件です」というようにニュースを選択し、且つ、簡略化する。
【００５７】
第２出力部５４は、アラーム制御部４５１により時間調整が行われた所定の情報を出力する。すなわち、第２出力部５４は、アラーム制御部４５１により選択されたニュース、天気予報、交通情報等を音声出力し又は表示する。
【００５８】
また、携帯電話機１は、メモリ４４に、所定の情報としてのスケジュールを登録可能なスケジュール帳を記憶させておいてもよい。
この場合、アラーム制御部４５１は、メモリ４４に記憶されたスケジュール帳からスケジュールを取得する。さらに、アラーム制御部４５１は、時間算出部５５により算出された所要時間に応じて、第２出力部５４から出力されるスケジュールを選択する。すなわち、スケジュールの情報量が多く、全てのスケジュールを所定時間内に音声出力し又は表示することができない場合、アラーム制御部４５１は、複数のスケジュールの中からユーザが必要とするもの又は重要度が高く設定されているものを選択すればよい。
【００５９】
第２出力部５４は、アラーム制御部４５１により時間調整が行われた所定の情報を出力する。すなわち、第２出力部５４は、アラーム制御部４５１により選択されたスケジュールを音声出力し又は表示する。
【００６０】
したがって、携帯電話機１は、時間算出部５５により算出された所要時間に収まるようにニュース、天気予報、交通情報、スケジュール等を第２出力部５４から出力させるので、これらの所定の情報とアラームとがそれぞれ第２出力部５４と第１出力部５２とから同時に出力されることはない。そして、携帯電話機１は、ユーザに対して起床する意思を植え付けることができる。
【００６１】
なお、アラーム制御部４５１は、時間算出部５５により算出された所要時間に応じて、情報取得部５８により取得されたニュースと、天気予報と、交通情報と、メモリ４４から読み出されたスケジュールとの中からいずれかを選択してもよい。すなわち、第２出力部５４からは、上述したニュース、天気予報、交通情報及びスケジュールの全てが出力される必要はなく、ニュース、天気予報、交通情報及びスケジュールのうちのいずれかが出力されてもよい。
【００６２】
また、情報取得部５８により取得される所定の情報は、ニュース、天気予報、交通情報に限定されることはなく、これら以外の情報であってもよい。
【００６３】
携帯電話機１は、経過時間計時部５７をさらに備える。
経過時間計時部５７は、アラームの出力開始時刻から、停止部５３によるアラーム停止処理に基づいて第１出力部５２から出力されているアラームが停止されるまでの経過時間を計時する。
【００６４】
具体的には、経過時間計時部５７は、時刻計時部５６により計時している時刻がアラーム出力開始時間に到達した場合、経過時間の計時を開始する。さらに、経過時間計時部５７は、停止部５３よるアラーム停止処理に基づいて第１出力部５２から出力されているアラームが停止された場合、経過時間の計時を停止する。経過時間計時部５７は、アラーム制御部４５１による経過時間の読み出し処理に応じて、経過時間情報をアラーム制御部４５１に出力する。
【００６５】
アラーム制御部４５１は、供給された経過時間情報を第２出力部５４に出力する。
第２出力部５４は、経過時間情報を音声出力し又は表示する。
【００６６】
なお、第２出力部５４から経過時間情報を出力させる場合、アラーム制御部４５１は、経過時間を表す「○分」という音声を出力させてもよい。
また、第２出力部５４から経過時間情報を出力させる場合、例えば「設定時刻から〜経過しました」という所定の音声情報をメモリ４４に予め記憶させておいてもよい。この場合、アラーム制御部４５１は、メモリ４４から所定の音声情報を読み出すと共に、経過時間計時部５７から経過時間情報を読み出して、経過時間情報を所定の音声情報の中に挿入し、「設定時刻から○分経過しました」という音声を第２出力部５４から出力させる。
【００６７】
したがって、携帯電話機１は、アラームの出力開始時刻からアラームが停止されるまでの間の経過時間を第２出力部５４から出力するので、アラームにより設定した時刻に対する危機感をユーザに持たせることができる。
【００６８】
なお、アラーム制御部４５１は、時刻計時部５６から現在時刻を取得してもよい。この場合、第２出力部５４は、アラーム制御部４５１によって取得された現在時刻を出力する。
また、アラーム制御部４５１は、メモリ４４に記憶されたスヌーズ機能の設定（アラームの出力回数の設定及びアラームの出力間隔の設定等）と、時刻計時部５６から読み出された現在時刻とに基づいて、次のアラームが出力される時刻を求め、得られた次のアラームが出力される時刻を第２出力部５４から出力させてもよい。
【００６９】
次に、本実施形態の携帯電話機１の動作について説明する。
図４は、携帯電話機１の動作の流れを説明する図である。図５は、携帯電話機１の動作を示すフローチャートである。図６は、携帯電話機１の動作を説明する図である。
【００７０】
まず、図４を参照しながら、携帯電話機１の動作について説明する。
第１回目のアラーム出力に関連する動作は、次のようになる。
矢印Ａにより示す時間において、時刻計時部５６により計時している時刻がアラーム出力開始時刻に到達する。したがって、アラーム制御部４５１は、第１回目のアラームを第１出力部５２から出力させる。なお、矢印Ａにより示す時間から矢印Ｂにより示す時間までの期間ｔ１は、アラームが出力されている期間である。
【００７１】
矢印Ｂにより示す時間において、停止部５３は、ユーザによるアラーム停止操作に基づいて、第１出力部５２から出力されているアラームの停止処理を行う。これにより、アラームは停止する。
さらに、矢印Ｂにより示す時間において、アラーム制御部４５１は、経過時間計時部５７から経過時間情報を読み出して第２出力部５４から出力させる。なお、矢印Ｂにより示す時間から矢印Ｃにより示す時間までの期間ｔ２は、経過時間情報が第２出力部５４から出力されている期間である。
【００７２】
矢印Ｃにより示す時間において、第２出力部５４は、経過時間情報の出力を終了する。さらに、矢印Ｃにより示す時間において、アラーム制御部４５１は、設定音の鳴動（出力）を開始させる。なお、矢印Ｃにより示す時間から矢印Ｄにより示す時間までの期間ｔ３は、設定音が鳴動している期間である。
【００７３】
矢印Ｄにより示す時間において、設定音の鳴動（出力）が終了する。さらに、矢印Ｄにより示す時間において、アラーム制御部４５１は、情報取得部５８により取得されたニュースと、天気予報と、交通情報と、スケジュール帳に登録されたスケジュールとのうちから少なくとも１つを第２出力部５４から出力させることを開始する。なお、矢印Ｄにより示す時間から矢印Ｅにより示す時間までの期間ｔ４は、上述したニュース等が第２出力部５４から出力される期間である。
これにより、第１回目のアラーム出力に関連する動作が終了する。
【００７４】
次に、第２回目のアラーム出力に関連する動作は、次のようになる。
矢印Ｅにより示す時間において、時刻計時部５６により計時している時刻がスヌーズ機能を実行する時刻に到達する。したがって、アラーム制御部４５１は、第１出力部５２から第２回目のアラームを出力させる。
【００７５】
矢印Ｆにより示す時間において、停止部５３は、ユーザによるアラーム停止操作に基づいて、第１出力部５２から出力されているアラームの停止処理を行う。さらに、矢印Ｆにより示す時間において、アラーム制御部４５１は、第１回目のアラーム出力時刻から第２回目のアラームが停止されるまでの経過時間（図４に示すｔ１からｔ５までの期間）の情報を経過時間計時部５７から読み出して、この経過時間情報を第２出力部５４から出力させる。なお、アラーム制御部４５１は、複数回数のアラームが停止部５３により停止される度に、第１回目のアラームが出力されてからそれぞれのアラームが停止されるまでの経過時間の情報を経過時間計時部５７から読み出して第２出力部５４から出力させる。
【００７６】
なお、これ以降においても、第１回目のアラーム出力に関連する動作と同様の動作が行われる。
【００７７】
次に、図５及び図６を参照しながら、携帯電話機１の動作について説明する。
【００７８】
図５に示すように、まず、ステップＳ１において、アラーム制御部４５１は、アラーム機能の起動操作を検知する。
ステップＳ２において、アラーム制御部４５１は、ステップＳ１の処理に基づいて、アラーム機能を起動させる。
【００７９】
ステップＳ３において、設定部５１は、アラーム設定操作を検知する。
ステップＳ４において、設定部５１は、アラームの設定を行う。すなわち、設定部５１は、アラームの出力開始時刻の設定、スヌーズ機能の設定（アラームの出力回数及びアラームの出力間隔等の設定）を行う。設定部５１は、アラームの設定処理が終了すると、アラームの設定情報をメモリ４４に記憶する。
【００８０】
ステップＳ５において、アラーム制御部４５１は、メモリ４４に記憶されたアラームの設定情報と、時刻計時部５６により計時されている時刻とを比較し、計時されている時刻がアラーム起動時間に到達したか否か判断する。時刻がアラーム起動時間に到達した場合（Ｙｅｓ）には、ステップＳ６に進む。時刻がアラーム起動時間に到達していない場合（Ｎｏ）には、ステップＳ５の判断を再度行う（図６（ａ）参照）。
【００８１】
ステップＳ６において、アラーム制御部４５１は、アラーム音を鳴動させる。すなわち、アラーム制御部４５１は、アラーム音をスピーカ２４から出力させる。さらに、アラーム制御部４５１は、アラームとしてＬＥＤ２５を発光させ又は点滅させてもよく、アラームとしてバイブレータ４７を振動させてもよい（図６（ｂ）参照）。
【００８２】
ステップＳ７において、停止部５３は、アラーム停止操作に基づいて、アラームを停止させる。
【００８３】
ステップＳ８において、アラーム制御部４５１は、ステップＳ４の処理において、スヌーズ機能を利用するためのスヌーズ設定処理が行われているか否か判断する。スヌーズ設定処理が行われていない場合（Ｎｏ）には、ステップＳ９に進む。スヌーズ設定処理が行われている場合（Ｙｅｓ）には、ステップＳ１３に進む。
【００８４】
ステップＳ９において、時間算出部５５は、ステップＳ７によるアラーム停止処理が行われてから次のアラームが鳴動するまでの所要時間を算出する。
【００８５】
ステップＳ１０において、アラーム制御部４５１は、複数の所定の情報の中から読み上げ情報を選択する。すなわち、アラーム制御部４５１は、ステップＳ９の処理により算出された所要時間内に第２出力部５４から所定の情報の出力が終了するように、情報取得部５８により取得されたニュース、天気予報、交通情報（所定の情報）及びメモリ４４から読み出されたスケジュール（所定の情報）の中から情報を適宜選択する。
【００８６】
ステップＳ１１において、アラーム制御部４５１は、時刻計時部５６から現在時刻を取得する。
【００８７】
ステップＳ１２において、アラーム制御部４５１は、読み上げ情報を第２出力部５４から出力させる。すなわち、アラーム制御部４５１は、ステップＳ１０の処理により選択された所定の情報を第２出力部５４から出力させる（図６（ｃ）参照）。さらに、アラーム制御部４５１は、ステップＳ１１の処理により取得された現在時刻を第２出力部５４から出力させる。
【００８８】
次に、ステップＳ１３において、時間算出部５５は、ステップＳ７によるアラーム停止処理が行われてから次のアラームが鳴動するまでの所要時間を算出する。
【００８９】
ステップＳ１４において、アラーム制御部４５１は、複数の所定の情報の中から読み上げ情報を選択する。すなわち、アラーム制御部４５１は、ステップＳ１３の処理により算出された所要時間内に第２出力部５４から所定の情報の出力が終了するように、情報取得部５８により取得されたニュース、天気予報、交通情報（所定の情報）及びメモリ４４から読み出されたスケジュール（所定の情報）の中から情報を適宜選択する。
【００９０】
ステップＳ１５において、アラーム制御部４５１は、時刻計時部５６から現在時刻を取得する。
【００９１】
ステップＳ１６において、アラーム制御部４５１は、読み上げ情報を第２出力部５４から出力させる。すなわち、アラーム制御部４５１は、ステップＳ１４の処理により選択された所定の情報を第２出力部５４から出力させる。さらに、アラーム制御部４５１は、ステップＳ１５の処理により取得された現在時刻を第２出力部５４から出力させる。
【００９２】
ステップＳ１７において、アラーム制御部４５１は、スヌーズ機能の設定に基づいて第１出力部５２からアラームが出力された回数（スヌーズ機能の設定に基づくステップＳ６の処理回数）が、ステップＳ４の処理により設定されたアラームの出力回数に到達しているか否か判断する。スヌーズ機能の設定に基づくステップＳ６の処理回数がステップＳ４の処理により設定されたアラームの出力回数に到達している場合（Ｙｅｓ）には、ステップＳ１８に進む。スヌーズ機能の設定に基づくステップＳ６の処理回数がステップＳ４の処理により設定されたアラームの出力回数に到達していない場合（Ｎｏ）には、ステップＳ１９に進む。
【００９３】
ステップＳ１８において、アラーム制御部４５１は、スヌーズ機能の設定に基づくステップＳ６の処理回数がステップＳ４の処理により設定されたアラームの出力回数（スヌーズ設定回数）に到達した旨の警告音声を第２出力部５４から出力させる。警告音声の内容は、例えば、図６（ｄ）に示すように、「スヌーズ設定回数が満了したため、アラームはもうなりません」という内容である。
【００９４】
ステップＳ１９において、アラーム制御部４５１は、ユーザにより、スヌーズの停止操作が行われたか否か判断する。スヌーズの停止操作がない場合（Ｎｏ）には、ステップＳ２０に進む。スヌーズの停止操作があった場合（Ｙｅｓ）には、ステップＳ２１に進む。
【００９５】
ステップＳ２０において、アラーム制御部４５１は、次回のアラーム鳴動の予告音声を第２出力部５４から出力させる。予告音声の内容は、例えば、図６（ｅ）に示すように、「次は、６：５０にアラームが鳴ります」という内容である。なお、ステップＳ２０の処理が終了すると、ステップＳ５に戻る。
【００９６】
ステップＳ２１において、アラーム制御部４５１は、複数の所定の情報の中から読み上げ情報を選択する。
ステップＳ２２において、アラーム制御部４５１は、時刻計時部５６から現在時刻を取得する。
【００９７】
ステップＳ２３において、アラーム制御部４５１は、読み上げ情報を第２出力部５４から出力させる。すなわち、アラーム制御部４５１は、ステップＳ２１の処理により選択された所定の情報を第２出力部５４から出力させる。さらに、アラーム制御部４５１は、ステップＳ２２の処理により取得された現在時刻を第２出力部５４から出力させる。
【００９８】
ステップＳ２４において、アラーム制御部４５１は、スヌーズ解除の警告音声を第２出力部５４から出力させる。警告音声の内容は、例えば、図６（ｆ）に示すように、「スヌーズが解除されたため、アラームはもう鳴りません」という内容である。
【００９９】
以上説明したように、本実施形態では、携帯電話機１がアラームを出力する構成について説明した。
このアラームは、例えば睡眠中のユーザを起床させるための目覚まし用アラームであってもよい。この場合、携帯電話機１は、アラームとしてスピーカ２４から音を出力させると共に、必要に応じて、アラームとしてＬＥＤ２５を発光又は点滅させ、又は、アラームとしてバイブレータ４７により振動されてもよい。さらに、携帯電話機１は、アラームとして、アラーム表示を表示部２１に表示させてもよい。
また、アラームは、例えばスケジュール帳等に設定された会議の開始時刻や外出先への出発時刻等を知らせるためのアラームであってもよい。この場合、携帯電話機１は、アラームとしてスピーカ２４から音を出力させ、アラームとしてＬＥＤ２５を発光又は点滅させ、又は、アラームとしてバイブレータ４７により振動されてもよい。さらに、携帯電話機１は、アラームとして、アラーム表示を表示部２１に表示させてもよい。なお、ユーザが会議に出席している場合等のアラーム音がスピーカ２４から出力されては困るときには、携帯電話機１は、アラーム音をスピーカ２４から出力しないように設定されることもできる。
【０１００】
なお、本発明は上記実施形態に限定されるものではなく、本発明の目的を達成できる範囲での変形、改良等は本発明に含まれる。
上記の実施形態では、電子機器の一例として携帯電話機１について説明したが、本発明はこれに限定されることはない。すなわち電子機器は、腕時計、置時計、オーディオ、その他、時計機能及びアラーム機能を備える電子機器であればよい。
【符号の説明】
【０１０１】
１  携帯電話機（電子機器）
４１  通信部
４４  メモリ（記憶部）
４５１  アラーム制御部
５１  設定部
５２  第１出力部
５３  停止部
５４  第２出力部
５５  時間算出部
５６  時刻計時部
５７  経過時間計時部
５８  情報取得部
【図１】
2011047734.tif 000003
【図２】
2011047734.tif 000004
【図３】
2011047734.tif 000005
【図４】
2011047734.tif 000006
【図５】
2011047734.tif 000007
【図６】
2011047734.tif 000008